(57)【要約】【課題】キースイッチ装置および電子機器において、キートップを押しやすくする。【解決手段】キースイッチ装置１０は、キートップ１２と、ドームスイッチ（金属ドーム１４ａ）と、弾性部材（リブ１３ａ，１３ｂ）とを備える。キートップ１２は、縦横の長さが異なる押圧面１２ａを有する。金属ドーム１４ａは、キートップ１２が押圧されることにより変形する。リブ１３ａ，１３ｂは、金属ドーム１４ａの周囲に配置されキートップ１２による押圧力に対して反発力を付与する。また、リブ１３ａ，１３ｂは、金属ドーム１４ａの周囲の全周のうち、押圧面１２ａの長手方向の両端側の少なくとも一部が欠落している。【選択図】図４
2013030352.tif 000002
【特許請求の範囲】
【請求項１】
縦横の長さが異なる押圧面を有するキートップと、
前記キートップが押圧されることにより変形するドームスイッチと、
前記ドームスイッチの周囲に配置され前記キートップによる押圧力に対して反発力を付与する弾性部材と、
を備え、
前記弾性部材は、前記ドームスイッチの周囲の全周のうち、前記押圧面の長手方向の両端側の少なくとも一部が欠落している、
ことを特徴とするキースイッチ装置。
【請求項２】
前記弾性部材は、前記押圧面の長手方向に延びる棒状に２つ配置されていることを特徴とする請求項１記載のキースイッチ装置。
【請求項３】
前記２つの弾性部材は、前記押圧面の長手方向の長さよりも短いことを特徴とする請求項２記載のキースイッチ装置。
【請求項４】
複数の前記キートップが隣接して配置され、
前記複数のキートップのそれぞれは、互いに異なる前記弾性部材によって、前記押圧力に対する前記反発力を付与され、
複数の前記弾性部材は、同一のベースに設けられている、
ことを特徴とする請求項１記載のキースイッチ装置。
【請求項５】
縦横の長さが異なる押圧面を有するキートップと、
前記キートップが押圧されることにより変形するドームスイッチと、
前記ドームスイッチの周囲に配置され前記キートップによる押圧力に対して反発力を付与する弾性部材と、
を備え、
前記弾性部材は、前記ドームスイッチの周囲の全周のうち、前記押圧面の長手方向の両端側の少なくとも一部が欠落している、
ことを特徴とする電子機器。
【発明の詳細な説明】
【技術分野】
【０００１】
本明細書で論じる実施の形態は、縦横の長さが異なる押圧面を有するキートップを備えるキースイッチ装置および電子機器に関する。
【背景技術】
【０００２】
従来、キートップと、このキートップにより押圧されるドームスイッチとを備えるキースイッチが知られている。
キースイッチ装置において、キートップの中心線とドームスイッチの中心線とが偏芯している装置が知られている。
【先行技術文献】
【特許文献】
【０００３】
【特許文献１】特開２００６−１９０５６号公報
【発明の概要】
【発明が解決しようとする課題】
【０００４】
しかしながら、キートップの押圧面の縦横の長さが異なる場合には、上記のキースイッチ装置のようにキートップの中心線とドームスイッチの中心線とが偏芯していても、ガタツキにより押し感（クリック感）が悪い。
【０００５】
図１４および図１５は、参考技術に係るキースイッチ装置３０を示す分解斜視図および断面図である。
図１６および図１７は、図１５のＥ部拡大図である。
【０００６】
図１４および図１５に示すキースイッチ装置３０は、ケース３１と、キートップ３２と、ベース３３と、キー基板３４と、キープレート３５と、を備える。
ケース３１は、中央にフランジ付き貫通孔３１ａが形成された矩形枠状を呈する。
【０００７】
キートップ３２は、第１のキートップ３２−１と、第２のキートップ３２−２と、第３のキートップ３２−３とがそれらの長手方向に一列に並ぶように配列されている。これらキートップ３２には、押圧面３２ａとは反対側の端部にフランジ部３２ｂが形成されている。このフランジ部３２ｂは、キートップ３２が互いに隣接する部分を除くキートップ３２の周縁に形成されている。
【０００８】
ベース３３は、矩形の弾性部材からなり、周縁の全周に亘って、キー基板３４側にリブ３３ａが設けられている。ベース３３は、キートップ３２よりも縦横とも長く形成されている。ベース３３には、後述する３つの金属ドーム３４ａに当接する３つの突起３３ｃが形成されている。
【０００９】
キー基板３４は、各キートップ３２が押圧されることにより変形するドームスイッチである３つの金属ドーム３４ａ〜３４ｃを有する。
キープレート３５は、キー基板３４を背面において支持する。
【００１０】
上述のキースイッチ装置３０では、各キートップ３２は、金属ドーム３４ａの大きさより例えば幅方向に大きくなるにしたがい、両端のキートップ３２−１，３２−３の外側の端部を図１７に示すように押したときにベース３３のリブ部３３ａの反発が大きくなる。これにより、キートップ３２の押し感（クリック感）が悪くなる。金属ドーム３４ａがメークしなくなる場合もある。各キートップ３２に対して２つの金属ドームを配置した場合は、ダブルクリック感が残る。
【００１１】
本明細書で開示するキースイッチ装置および電子機器は、キートップを押しやすくすることができるようにする。
【課題を解決するための手段】
【００１２】
本明細書で開示するキースイッチ装置および電子機器は、キートップと、ドームスイッチと、弾性部材と、を備える。上記キートップは、縦横の長さが異なる押圧面を有する。上記ドームスイッチは、上記キートップが押圧されることにより変形する。上記弾性部材は、上記ドームスイッチの周囲に配置され上記キートップによる押圧力に対して反発力を付与する。上記弾性部材は、上記ドームスイッチの周囲の全周のうち、上記押圧面の長手方向の両端側の少なくとも一部が欠落している。
【発明の効果】
【００１３】
本明細書で開示するキースイッチ装置および電子機器によれば、キートップを押しやすくすることができる。
【図面の簡単な説明】
【００１４】
【図１】一実施の形態に係る携帯電話機を示す平面図である。
【図２】一実施の形態に係るキースイッチ装置を示す平面図である。
【図３】一実施の形態に係るキースイッチ装置を示す斜視図である。
【図４】一実施の形態に係るキースイッチ装置を示す分解斜視図である。
【図５】図２のＡ−Ａ断面図である。
【図６】図５のＤ部拡大図（その１）である。
【図７】図５のＤ部拡大図（その２）である。
【図８】図２のＢ−Ｂ断面図である。
【図９】図２のＣ−Ｃ断面図である。
【図１０】他の実施の形態に係るキースイッチ装置を示す断面図である。
【図１１】他の実施の形態に係るキースイッチ装置の操作距離を示す説明図である。
【図１２】比較例（一実施の形態）に係るキースイッチ装置の操作距離を示す説明図である。
【図１３】クリック率を説明するための説明図である。
【図１４】参考技術に係るキースイッチ装置を示す分解斜視図である。
【図１５】参考技術に係るキースイッチ装置を示す断面図である。
【図１６】図１５のＥ部拡大図（その１）である。
【図１７】図１５のＥ部拡大図（その２）である。
【発明を実施するための形態】
【００１５】
以下、実施の形態に係るキースイッチ装置および電子機器について、図面を参照しながら説明する。
＜一実施の形態＞
図１は、一実施の形態に係る携帯電話機１を示す平面図である。
図２〜図４は、一実施の形態に係るキースイッチ装置１０を示す平面図、斜視図、および分解斜視図である。
【００１６】
図５、図８、および図９は、図２のＡ−Ａ断面図、Ｂ−Ｂ断面図、およびＣ−Ｃ断面図である。
図６および図７は、図５のＤ部拡大図である。
【００１７】
図１に示す電子機器の一例である携帯電話機（携帯型電子機器）１は、例えば表示部２の前方に配置されたキースイッチ装置１０を備える。なお、図１に示すキースイッチ装置１０は、図２以降に示すキースイッチ装置１０と寸法が異なるが、同様の装置である。
【００１８】
図２〜図４に示すキースイッチ装置１０は、ケース１１と、キートップ１２−１，１２−２，１２−３（以下、それぞれを「１２」と記す。）と、ベース１３と、キー基板１４と、キープレート１５と、を備える。
【００１９】
ケース１１は、中央にフランジ付き貫通孔１１ａが形成された矩形枠状を呈する。
キートップ１２は、第１のキートップ１２−１と、第２のキートップ１２−２と、第３のキートップ１２−３とがそれらの長手方向に一列に並ぶように隣接して配置されている。これらキートップ１２には、縦横の長さが異なる矩形の押圧面１２ａが形成されている。
【００２０】
キートップ１２の押圧面１２ａ−１，１２ａ−２，１２ａ−３（以下、それぞれを「１２ａ」と記す。）とは反対側の端部には、フランジ部１２ｂ−１，１２ｂ−２，１２ｂ−３（以下、それぞれを「１２ｂ」と記す。）が形成されている。このフランジ部１２ｂは、キートップ１２が互いに隣接する部分を除くキートップ１２の周縁において押圧面１２ａと平行な平面に拡がるように形成されている。
【００２１】
キートップ１２は、フランジ部１２ｂを除く部分がケース１１のフランジ付き貫通孔１１ａに内側から挿入される。これにより、ケース１１の表側には、押圧面１２ａが突出する。
【００２２】
ベース１３は、３つのキートップ１２からなる領域よりも縦横とも長く形成されている。ベース１３は、周縁において、キー基板１４側に突出するリブ１３ａ−１，１３ａ−２，１３ａ−３（以下、それぞれを「１３ａ」と記す。）およびリブ１３ｂ−１，１３ｂ−２，１３ｂ−３（以下、それぞれを「１３ｂ」と記す。）がそれぞれ３つずつ例えば一体に設けられている。
【００２３】
リブ１３ａ，１３ｂは、弾性部材の一例であり、各キートップ１２に対応する金属ドーム１４ａ−１，１４ａ−２，１４ａ−３（以下、それぞれを「１４ａ」と記す。）の周囲に配置され、キートップ１２による押圧力に対して反発力を付与する。リブ１３ａ，１３ｂは、例えば、ゴムからなるベース１３と一体に設けられている。リブ１３ａ，１３ｂ（ベース１３）は、弾性フィルム等からなるようにしてもよい。
【００２４】
２つのリブ１３ａ，１３ｂは、キートップ１２の押圧面１２ａの長手方向に延びる棒状に、金属ドーム１４ａを挟んで配置されている。リブ１３ａ，１３ｂは、押圧面１２ａの長手方向の長さよりも短い。このように、各リブ１３ａ，１３ｂは、金属ドーム１４ａの周囲の全周のうち、押圧面１２ａの長手方向の両端側の全部（少なくとも一部の一例）が欠落している。
【００２５】
金属ドーム１４ａの周囲の全周のうち押圧面１２ａの長手方向の両端側の少なくとも一部が欠落しているリブ１３ａ，１３ｂの構成としては、押圧面１２ａの長手方向の両端側のリブ１３ａが断続的に設けられている構成、押圧面１２ａの長手方向の両端側のリブ１３ａが中央側よりも細い構成などを含む。
【００２６】
ベース１３には、金属ドーム１４ａに当接する３つの突起１３ｃが形成されている。
キー基板１４は、ベース１３と縦横の長さが同一である。そのため、キー基板１４の周縁には、リブ３３ａ，３３ｂが当接する。キー基板１４は、各キートップ１２が押圧されることにより変形する３つの金属ドーム３４ａを有する。金属ドーム１４ａは、ドームスイッチの一例であり、変形の前後でスイッチが切り換わる。
【００２７】
キープレート１５は、ベース１３およびキー基板１４と縦横の長さが同一である。キープレート１５は、キー基板１４を背面において支持する。
【００２８】
上述のキースイッチ装置１０では、リブ１３ａ，１３ｂは、金属ドーム１４ａの周囲の全周のうち、押圧面１２ａの長手方向の両端側の全部（少なくとも一部の一例）が欠落している。
【００２９】
そのため、図７に示すようにキースイッチ１２−３の押圧面１２ａ−３の長手方向の外側端部が押圧されても、図１７に示す参考技術におけるリブ３３ａのような端部が欠落していないリブと比較して、反発力が小さくなる。
【００３０】
以上説明した一実施の形態では、キートップ１２による押圧力に対して反発力を付与するリブ１３ａ，１３ｂは、金属ドーム１４ａの周囲の全周のうち、キートップ１２の押圧面１２ａの長手方向の両端側の少なくとも一部が欠落している。そのため、押圧面１２ａの長手方向の両端側の反発力を抑えることができる。よって、本実施の形態によれば、キートップ１２の押し感（クリック感）を向上させ、キートップ１２を押しやすくすることができる。更には、押圧面１２ａの長手方向の両端側の反発力を抑えることで、金属ドーム１４ａを確実に変形させることもできる。
【００３１】
本実施の形態では、リブ１３ａ，１３ｂは、押圧面１２ａの長手方向に延びる棒状に２つ配置されている。そのため、リブ１３ａ，１３ｂによる反発力を確保しつつ、押圧面１２ａの長手方向の両端側の反発力を抑えることができる。
【００３２】
本実施の形態では、上記の押圧面１２ａの長手方向と平行な２つのリブ１３ａ，１３ｂは、押圧面１２ａの長手方向の長さよりも短い。そのため、押圧面１２ａの長手方向の両端側の反発力を確実に抑えることができる。
【００３３】
本実施の形態では、複数のキートップ１２−１，１２−２，１２−３が隣接して配置され、各キートップ１２は、互いに異なるリブ１３ａ，１３ｂによって押圧力に対する反発力を付与され、複数のキートップ１２に対応するリブ１３ａ，１３ｂは、同一のベース１３に設けられている。そのため、簡素な構成でリブ１３ａ，１３ｂによる反発力を確保することができる。
【００３４】
以上の本実施の形態では、キートップ１２が３つの場合を例に説明したが、キートップは１つ、２つ、又は４つ以上であっても、押圧面１２ａの長手方向の両端側の少なくとも一部を欠落させることで、キートップ１２を押しやすくすることができる。
【００３５】
＜他の実施の形態＞
図１０は、他の実施の形態に係るキースイッチ装置２０を示す断面図である。
図１１は、他の実施の形態に係るキースイッチ装置２０の操作距離を示す説明図である。
【００３６】
図１２は、比較例（一実施の形態）に係るキースイッチ装置の操作距離を示す説明図である。
図１３は、クリック率を説明するための説明図である。
【００３７】
本実施の形態のキースイッチ装置２０は、ベース２３およびキー基板２４のみ上述の一実施の形態と相違する。そのため、共通する構成については、図面に共通の符号を付して説明を省略する。
【００３８】
ベース２３は、周縁の全周に亘って、キー基板２４側にリブ２３ａ（弾性部材の一例）が設けられている。但し、リブ２３ａは、上述の一実施の形態と同様に、金属ドーム２４ａの周囲の全周のうち、押圧面１２ａの長手方向の両端側の少なくとも一部が欠落しているようにしてもよい。
【００３９】
複数のキートップ１２−１，１２−２，１２−３のうちの両端のキートップ１２−１，１２−３に押圧されるベース２３の突起２３ｃ−１，２３ｃ−２，２３ｃ−３（以下、それぞれを「２３ｃ」と記す。）およびキー基板２４の金属ドーム２４ａ−１，２４ａ−２，２４ａ−３（以下、それぞれを「２４ａ」と記す。）は、上述の一実施の形態と相違し、各キートップ１２−１，１２−３の中心よりも複数のキートップ１２−１，１２−２，１２−３からなる領域の中心側（すなわち、中央のキートップ１２−２側）に配置されている。
【００４０】
そのため、両端のキートップ１２−１，１２−３は、キートップ１２の長手方向の幅Ｗ１のうち、金属ドーム２４ａから、複数のキートップ１２−１，１２−２，１２−３からなる領域の中心側の端部の幅Ｗ２は、キートップ１２の長手方向の幅Ｗ１から上記の幅Ｗ２を引いた幅Ｗ３よりも小さくなっている。
【００４１】
これにより、上述の一実施の形態のように突起１３ｃ−１，１３ｃ−３（金属ドーム１４ａ−１，１４−３）がキートップ１２の中央に設けられている場合と比較して、指による操作距離Ｌ１が小さくなる（Ｌ１＜Ｌ２））。
【００４２】
なお、この操作距離Ｌ１，Ｌ２は、突起２３ｃ，１３ｃ（金属ドーム２４ａ，１４ａ）を中心としてそこから遠ざかるほど低くなる「クリック率」が一定値以上の範囲をいう。
クリック率は、図１３に示すように、キートップ１２が押圧されてストロークが増えて、金属ドーム２４ａ，１４ａが反転を開始するときの荷重をＡとし、反転を終了するときの荷重Ｂとした場合、「クリック率〔％〕＝（（Ａ−Ｂ）／Ａ）×１００」で表される。
【００４３】
以上説明した本実施の形態では、複数のキートップ１２−１，１２−２，１２−３のうちの両端のキートップ１２−１，１２−３に押圧される金属ドーム２４ａは、このドームスイッチを押圧するキートップ１２の中心よりも複数のキートップ１２−１，１２−２，１２−３からなる領域の中心側に配置されている。
【００４４】
そのため、図１１に示すように、操作距離Ｌ１を小さくすることができ、したがって、キートップ１２をより押しやすくすることができる。
【００４５】
以上説明した実施の形態に関し、更に以下の付記を開示する。
（付記１）
縦横の長さが異なる押圧面を有するキートップと、
前記キートップが押圧されることにより変形するドームスイッチと、
前記ドームスイッチの周囲に配置され前記キートップによる押圧力に対して反発力を付与する弾性部材と、
を備え、
前記弾性部材は、前記ドームスイッチの周囲の全周のうち、前記押圧面の長手方向の両端側の少なくとも一部が欠落している、
ことを特徴とするキースイッチ装置。
（付記２）
前記弾性部材は、前記押圧面の長手方向に延びる棒状に２つ配置されていることを特徴とする付記１記載のキースイッチ装置。
（付記３）
前記２つの弾性部材は、前記押圧面の長手方向の長さよりも短いことを特徴とする付記２記載のキースイッチ装置。
（付記４）
複数の前記キートップが隣接して配置され、
前記複数のキートップのそれぞれは、互いに異なる前記弾性部材によって、前記押圧力に対する前記反発力を付与され、
複数の前記弾性部材は、同一のベースに設けられている、
ことを特徴とする付記１記載のキースイッチ装置。
（付記５）
複数の前記キートップが隣接して配置され、
前記複数のキートップのうちの両端のキートップに押圧される前記ドームスイッチは、該ドームスイッチを押圧するキートップの中心よりも前記複数のキートップからなる領域の中心側に配置されている、
ことを特徴とする付記１記載のキースイッチ装置。
（付記６）
縦横の長さが異なる押圧面を有し隣接して配置された複数のキートップと、
前記キートップが押圧されることにより変形するドームスイッチと、
前記ドームスイッチの周囲に配置され前記キートップによる押圧力に対して反発力を付与する弾性部材と、
を備え、
前記複数のキートップのうちの両端のキートップに押圧される前記ドームスイッチは、該ドームスイッチを押圧するキートップの中心よりも前記複数のキートップからなる領域の中心側に配置されている、
ことを特徴とするキースイッチ装置。
（付記７）
縦横の長さが異なる押圧面を有するキートップと、
前記キートップが押圧されることにより変形するドームスイッチと、
前記ドームスイッチの周囲に配置され前記キートップによる押圧力に対して反発力を付与する弾性部材と、
を備え、
前記弾性部材は、前記ドームスイッチの周囲の全周のうち、前記押圧面の長手方向の両端側の少なくとも一部が欠落している、
ことを特徴とする電子機器。
（付記８）
縦横の長さが異なる押圧面を有し隣接して配置された複数のキートップと、
前記キートップが押圧されることにより変形するドームスイッチと、
前記ドームスイッチの周囲に配置され前記キートップによる押圧力に対して反発力を付与する弾性部材と、
を備え、
前記複数のキートップのうちの両端のキートップに押圧される前記ドームスイッチは、該ドームスイッチを押圧するキートップの中心よりも前記複数のキートップからなる領域の中心側に配置されている、
ことを特徴とする電子機器。
【符号の説明】
【００４６】
１      携帯電話機
１０      キースイッチ装置
１１      ケース
１１ａ      フランジ付き貫通孔
１２      キートップ
１２ａ      押圧面
１２ｂ      フランジ部
１３      ベース
１３ａ，１３ｂ      リブ
１３ｃ      突起
１４      キー基板
１４ａ      金属ドーム
１５      キープレート
２０      キースイッチ装置
２３      ベース
２３ａ      リブ
２３ｃ      突起
２４      キー基板
２４ａ      金属ドーム
【図２】
2013030352.tif 000003
【図４】
2013030352.tif 000004
【図６】
2013030352.tif 000005
【図７】
2013030352.tif 000006
【図８】
2013030352.tif 000007
【図９】
2013030352.tif 000008
【図１３】
2013030352.tif 000009
【図１４】
2013030352.tif 000010
【図１６】
2013030352.tif 000011
【図１７】
2013030352.tif 000012
【図１】
2013030352.tif 000013
【図３】
2013030352.tif 000014
【図５】
2013030352.tif 000015
【図１０】
2013030352.tif 000016
【図１１】
2013030352.tif 000017
【図１２】
2013030352.tif 000018
【図１５】
2013030352.tif 000019